(57)【特許請求の範囲】
【請求項１】
再構成可能物品の販売に関して、物品の登録のためのウェブサーバによって実行される方法において、前記ウェブサーバは、 
モバイル加入者から識別個人データを受け取り、前記個人データを、少なくとも１つのデータベースに、前記モバイル加入者と関連付けられた第１の記録で格納するステップと、
前記モバイル加入者から非識別人口統計データを受け取り、前記非識別人口統計データを、前記データベースの前記モバイル加入者と関連付けられた第２の記録で格納するステップと、
前記モバイル加入者による再構成可能物品の購入後、前記再構成可能物品と関連付けられた少なくとも１つの一意のシリアル番号を、物品登録の通知の一部としてモバイル加入者から受け取り、前記一意のシリアル番号を、前記データベースにおいて、前記モバイル加入者との関連で格納するステップであって、前記再構成可能物品は運搬又は装着される個人物品を含み、前記個人物品は、該個人物品の各々の露出した外面の大部分を覆う物理的に再構成可能な材料を含み、前記再構成可能な材料は広告材料又は個人的表現の物品を含む装飾アイテムの再構成可能な表示を可能にする、ステップと、
を実装し、
前記ウェブサーバによって、前記モバイル加入者に対し、ワールド・ワイド・ウェブを介してアクセス可能なポータルを生成するステップであって、前記ポータルは、仮想の再構成可能物品上のモバイル広告スペースとのインタラクションを提供する、ステップと、
前記ウェブサーバによって、前記ポータルが前記モバイル加入者によってアクセスされたときに、前記個人データを用いて、前記再構成可能物品上に表示するために、広告を上に有するパッチを前記モバイル加入者に送付するのに選択するステップと、
前記ウェブサーバによって、広告主に前記非識別人口統計データへの電子アクセスを提供するステップと、
を含むことを特徴とする方法。
【請求項２】
前記ウェブサーバは、前記消費者加入者から、前記モバイル加入者の関心を受け取り、こうした関心を前記データベース内の前記加入者と関連付け、前記広告主に電子アクセスを提供するステップにおいて前記関心を利用するようにさらに構成されることを特徴とする、請求項１に記載の方法。
【請求項３】
前記ウェブサーバは、ネットワークを介して動作するコンピュータを含む電子システムであって、前記パッチの表示に対して、前記モバイル加入者に補償するための電子システムと接続されたことを特徴とする、請求項１の記載の方法。
【請求項４】
前記パッチは物理的パッチを含むことを特徴とする、請求項１に記載の方法。
【請求項５】
前記パッチは電子パッチを含むことを特徴とする、請求項１に記載の方法。
【請求項６】
前記モバイル加入者の位置を用いて前記再構成可能物品上への広告の表示をトリガするステップをさらに含むことを特徴とする、請求項１に記載の方法。
【請求項７】
前記モバイル加入者と関連付けられたスマートフォンから前記モバイル加入者の位置を取得するステップをさらに含むことを特徴とする、請求項６に記載の方法。
【請求項８】
前記再構成可能物品と関連付けられた追跡装置から前記モバイル加入者の位置を取得するステップをさらに含むことを特徴とする、請求項６に記載の方法。
【請求項９】
第２のモバイル加入者を誘致することに対して前記モバイル加入者に補償するステップをさらに含むことを特徴とする、請求項１に記載の方法。
【請求項１０】
前記モバイル加入者に、前記パッチ又は仮想ＩＤと関連した一意のコードを提供するステップと、
前記第２のモバイル加入者から、前記ウェブサーバを介した前記物品の登録に関連して前記一意のコードが入力されたときに、前記モバイル加入者に補償するステップと、
をさらに含むことを特徴とする、請求項９に記載の方法。
【請求項１１】
前記モバイル加入者のパッチの少なくとも１つ上に広告された商品又はサービスと関連して保有者に割引を受ける権利を与える、前記パッチと関連した一意のコードを前記モバイル加入者に提供するステップをさらに含むことを特徴とする、請求項１に記載の方法。
【請求項１２】
前記広告主による前記識別個人データへの電子アクセスを防止するステップをさらに含むことを特徴とする、請求項１に記載の方法。
【請求項１３】
前記ウェブサーバは、ネットワークを介して前記再構成可能物品又は前記パッチ内の追跡装置と通信することを特徴とする、請求項１に記載の方法。
【請求項１４】
前記ウェブサーバは、前記再構成可能物品と関連付けられたシリアル番号により前記追跡装置に連絡し、前記物品に関する位置情報を取得することを特徴とする、請求項１３に記載の方法。
【発明の詳細な説明】
【技術分野】
【０００１】
本発明は、一般に、個人物品の分野に関し、具体的には、再構成可能な物品。及びターゲットを定めて配信されるモバイル広告を可能にするためにこれを用いるための加入ベースのシステムに関する。
【０００２】
本出願は、その全体が引用により本明細書に組み入れられる２０１０年８月３０日出願の米国仮特許出願番号第６１／３７８，３６７号に対する優先権を主張するものである。
【０００３】
本出願は、著作権保護を受ける材料を含んでいる。著作権所有者は、特許商標局のファイル又は記録に現れる、特許開示内容の誰による複製にも異存はないが、他の点では何であれ全ての著作権を保有している。
【背景技術】
【０００４】
個人物品への装飾品の取り付けを可能にする種々の物品が提案されている。こうした装置は、例えば、米国特許第６，４１９，７７９号明細書（特許文献１）及び米国特許出願第２００９／０１７８８１８０号（特許文献２）に開示される。しかしながら、これらの装置は、どちらの場合も実用性が限定され、全ての従来技術と同様に、開示された物品は、装飾アイテムの取り付けを可能にする限定された表面積しか有していない。特許文献１は、個人が印を変更するのを可能にする狭い面積を前面に有する帽子を開示する。同様に、特許文献２は、装飾品の取り付けを可能にする、ポケット型構造により定められる限定された面積を有する衣類を開示する。
【０００５】
Ｆａｃｅｂｏｏｋ及びＭｙｓｐａｃｅのようなソーシャル・メディア・サイトの出現、及び公開の方法で自分を表現したいという個人による欲求の明らかな高まりと共に、個人により個人化することができる。完全に再構成可能な表面を有する物品のための市場は大きいが、この市場は、従来技術の装置によって対処されていない。
【先行技術文献】
【特許文献】
【０００６】
【特許文献１】米国特許第６，４１９，７７９号明細書
【特許文献２】米国特許出願第２００９／０１７８８１８０号
【発明の概要】
【０００７】
従って、本発明の目的は、個人が自分の思うままに自分の個人物品を個人化することを可能にする、完全に再構成可能な表面を有する一連の物品を提供することであり、そのことは、従来技術の欠点に対処し、かつ、個人が以前には可能ではなかった公開の方法で自分を識別又は表現することを可能にする。
【０００８】
さらに、本発明の目的は、再構成可能な表面を有する物品を用いて、個人だけではなく広告主もまた、移動可能であり、一意的に人を引き付ける、配信広告スペースとしてその表面を活用することを可能にする、物理及び仮想（例えば、ウェブ・ベースの）システムを提供することである。
【０００９】
本発明の上述及び別の目的、特徴及び利点は、種々の図の全体を通して参照文字が同じ部品を指す添付図面に示されるような好ましい実施形態の以下のより具体的な説明から明らかであろう。図面は必ずしも縮尺通りに描かれていず、代わりに本発明の原理を示すことに重きが置かれている。
【図面の簡単な説明】
【００１０】
【図１】容易に再構成可能でない刺繍された名前及び番号を有する、従来技術を表す物品の斜視図である。
【図２】本発明による、必要に応じて個人により容易に再構成可能な表面への、名前、番号、フラグ又はスポーツとの関係を象徴するアイテムのような装飾アイテムの付着を可能にする表面を有する物品の代表的な正面図である。
【図３】図２に示されるような、物品へのアイテムの取り付けを可能にするフック型構造のような裏面を示す、本発明による複数の装飾アイテムの側面図である。
【図４】再構成可能な表面を有する、本発明による２つの異なる物品の正面図である。物品表面の拡大図は、この場合はループ型構造である表面構造を明瞭に示す。
【図５】カラフルな装飾アイテムで飾られた、本発明によるバッグ型物品の正面図である。
【図６】容易に識別するための名前、及び紛失時に備えて個人情報が符号化されたバーコードパッチで飾られた、本発明によるスーツケース型物品の正面図である。別の旅行者が物品を借りようとした場合にバッグ上の名前を容易に変更できることに気を付けなければならない。
【図７】図４の線４０５に沿って取られた本発明の断面図である。
【図８】モバイル加入者と関連してシステムを動作させる方法を示す流れ図である。
【図９】広告主と関連してシステムを動作させる方法を示す流れ図である。
【図１０】システムを用いてモバイル加入者に補償するための方法を示す流れ図である。
【図１１】電子パッチ、モバイル加入者及びリアルタイムの地理空間的ターゲットを定めた広告に関連してシステムを動作させる方法を示す流れ図である。
【発明を実施するための形態】
【００１１】
ここで、添付図面に例を示す本発明の好ましい実施形態を詳細に説明する。
【００１２】
１つの実施形態において、本発明は、その表面を、パッチ又は模造宝石類のような装飾アイテムで繰り返し再構成することを可能にする材料から作製されたバックパック又はベルトのような個人物品を提供する。装飾アイテムは、製品又はチームロゴ、名前、フレーズ、年齢、学年若しくはチーム番号を示す数字、マスコット、又は個人が自分を表現するために使用するいずれかの他の個人アイテムとすることができる。一例として、装飾を個人の服装とカラー・コーディネートするように表面を毎日再構成することができ、又は装飾を個人が参加するスポーツが変わるのに合わせて季節ベースで再構成することができる。名前又は他のアイテム又は装飾を刺しゅうした物品とは異なり、これらの物品上の装飾は、取り外して別のアイテムを取り付けることにより容易に再構成することできる。好ましい実施形態は、例えばＶｅｌｃｒｏ（登録商標）等のフック・アンド・ループ型締結システムのような取り付け方法を用いる。装飾アイテムがＶｅｌｃｒｏ（登録商標）のフック材料のような裏当てを有する場合、装飾アイテムを、Ｖｅｌｃｒｏ（登録商標）のループ型材料から作製された表面を含む又は表面で全体が覆われたいずれの物品にも付着させることができる。本開示は、再構成可能な表面を含む物品に言及する。
【００１３】
図１は、従来技術の刺しゅうを用いて物品を識別又は個人化する物品を示す。この個人化又は識別方法は、容易に再構成されない。図１に示されるのは、この場合はバックパックであり、バックバック上に名前１０１及び番号が刺しゅうされた物品１００である。刺しゅうされた名前のステッチ１０２の拡大図も示される。
【００１４】
図２は、本開示による、容易に再構成できる表面を用いる、この場合はバックパックである物品２００を示す。この図において、名前２０１は、数字、米国旗及び所属スポーツを示すアイテムと同様に取り付けられている。名前２０１の最初の２文字の拡大図は、この図では、Ｖｅｌｃｒｏ（登録商標）のフック・アンド・ループ型材料などを用いるループ型構造である表面２０２を示す。さらに、文字２０３のフック型構造の裏当ても示される。
【００１５】
印について軍隊で通常使用されるような、再構成可能な表面をもつ狭い面積を有する従来技術の装置とは異なり、本開示の物品は、完全に再構成可能な表面を有することができる。
【００１６】
図３は、アイテム上のフック型構造の裏当て３００がはっきりと見える複数の装飾アイテム３０１−３０５の前方側面図を示す。模造宝石類３０１、米国旗３０２、フットボール３０３、カラフルな花３０４及びカラフルな蝶３０５を示す。
【００１７】
図４は、４０４のようなアイテムにより装飾するのを可能にする再構成可能な表面４０３をもつ、２つの付加的な物品、ベルト４００及び腕時計バンド４０１を示す。再構成可能表面４０３及び装飾アイテム４０４がはっきりと見える領域４０２の拡大図が示される。
【００１８】
図５は、個人の持ち衣装とのカラー・コーディネートの個人化のためのカラフルな装飾アイテム５０１で飾られたハンドバッグ５００を示す。
【００１９】
図６は、完全に再構成可能な表面を有するスーツケース６００を示す。識別のために用いることができる個人名６０２及び個人用バーコード６０１を示す。図７は、取り付け方法を示す。図７は、図４の線４０５でとった断面図であり、フック型構造の裏当てを有する、この場合は文字Ｅである装飾アイテム、及びループ型構造をもつ材料で構成される腕時計バンド４０１の表面を用いる取り付け方法の複合的性質を示す。
【００２０】
本発明は、ターゲットを定めて配信されるモバイル広告のための加入ベース・システムにおいて再構成可能な表面をもつ個人物品を利用するための方法及び装置の流れ図及び動作説明図を参照して、以下に説明される。流れ図及び動作説明図の様々なブロック、並びに流れ図及び動作説明図の種々のブロックの組み合わせは、アナログ又はデジタル・ハードウェア及びコンピュータ・プログラム命令により実施することができる。このコンピュータ・プログラム命令は、汎用コンピュータ、専用コンピュータ、ＡＳＩＣ、又は他のプログラム可能データ処理装置のプロセッサに与えて、コンピュータ又は他のプログラム可能データ処理装置のプロセッサによって実行される命令が、流れ図及び動作ブロックにおいて指定される機能／動作を実施するようにすることができる。幾つかの代替的な実施において、ブロック内に示された機能／動作は、動作説明図に示された順番とは異なる順番で行うことができる。例えば、連続して示される２つのブロックを、実際には、実質的に同時に実行することができ、或いは関与する機能／動作に応じて、ブロックを逆順で実行することもできる。流れ図に示したプロセスは、こうしたプロセッサにより実行されるコンピュータコードの形態で実装し、コンピュータ・ディスク、フラッシュ・ドライブ、又は不揮発性メモリのような一時的でないコンピュータ可読媒体上に格納することができる。
【００２１】
更に別の実施形態において、本発明は、広告を配信するための手段として、再構成可能表面をもつ個人物品を利用するコンピュータ化されたシステム及び方法を提供する。具体的には、このシステム及び方法は、広告主が、以下、モバイル加入者と呼ばれるモバイル広告加入者により、公衆の中を携帯されるモバイル物品上に小さい広告を配置することを可能にする。加入するためには、加入者は、単に、ロゴ及び販売促進情報を有するパッチのような、装飾品の形態の広告のモバイル・キャリアとなるように、ウェブページを介して登録するだけである。ひとたびモバイル・キャリアが加入すると、モバイル・キャリアは、自分の地理的位置に加えて関心あることのリスト一覧を提供することができる。ひとたび既知となると、この情報は、加入者を、システムに登録した広告主と適合させるために用いられる。広告主は、適合した加入者にモバイル広告内容を提供する能力を有し、さらに、広告主は、報酬又は他の形態の補償により適合した加入者に補償する権利を有する。
【００２２】
１つの実施形態において、システムは、広告主がログインして、ターゲットを定めた地理空間及び社会経済市場セグメントにおいて、モバイル加入者に局地的な広告掲示板として働くパッチを出す広告キャンペーンを定め、管理することができるポータルを提供する。同様に、システムは、各々のモバイル加入者に、加入者がログインして、自分の関心、すなわち自分が宣伝したい話題、及び自分の人口統計データを定めることを可能にするカスタマイズ可能なポータルを提供する。こうした人口統計データには、モバイル加入者の年齢、居住地、住所、学校、学年等といった、広告主がモバイル加入者をキャリアとして選択することを可能にするデータが含まれる。
【００２３】
新規の加入者が登録すると、その加入者の情報は、上述のポータルを提供する、フロントエンドとして働く１つ又はそれ以上のサーバがアクセス可能な安全なデータベースに格納される。その際、ユーザの個人情報、関心及び人口統計的情報がデータベースに格納される。登録時、仮想ＩＤが各モバイル加入者に割り当てられ、その加入者の他のデータとも関連してデータベースに格納される。
【００２４】
システムは、特に年齢１８歳未満の未成年者に対する、仮想クリアリング・ハウスを提供するように構成することができる。仮想クリアリング・ハウスは、加入者の名前、特定の住所、電子メール・アドレス等のような情報を含む、ここでは物理ＩＤと呼ばれる、モバイル加入者の個人識別情報に対する、広告主のような何れかの第三者によるアクセスを防止する。仮想ＩＤは、広告主に、一般的な地理的位置、年齢範囲、学校所属状況、関心等の非識別データへのアクセスを提供する。この点で、システムは、データベース内のモバイル加入者の個人データと広告主又は非加入者との間のファイアウォールを提供する信頼できる仲介者として働くように構成することができる。上述のように、広告主は、報酬又は他の形態の補償を通して、適合する加入者に補償する能力を有する。開示されるシステムは、モバイル加入者の物理的ＩＤを広告主に公開することなく、こうした補償を広告主からモバイル加入者の仮想ＩＤに対して行えるように、仲介者として構成することができる。
【００２５】
さらに、システムは、仮想ＩＤを利用してモバイル加入者間でのパッチの購入、売買及び販売のような顧客間の取引を可能にするオンライン店頭を提供するように構成することができる。この点で、システムは、モバイル加入者の物理的ＩＤの一方又は両方の公開を防止しながら、仮想ＩＤ対仮想ＩＤのやりとりを可能にする（すなわち、仮想クリアリング・ハウス）。オークション型一覧サイト、電子商取引型一覧サイト、無料取引サイト又はこれらの組み合わせを提供するように、システムを構成することにより、こうした仮想ＩＤ対仮想ＩＤのやりとりを容易にすることができる。
【００２６】
図８は、システムを用いる方法を、顧客及び、その後、モバイル加入者の視点から説明した流れ図を示す。方法は、例えば上述の再構成可能な物品等、製品の販売から始まる。製品は、システムに登録できる一意のシリアル番号と関連付けられることが好ましい。次に、製品の所有者は、システムのウェブサイトを訪れ、自分の製品、及び上述のように自分をモバイル加入者として登録するよう選択することができる。この時点で、物理的ＩＤが生成され、かつデータベースに格納される。次に、プロセスは、加入者の年齢に従って分岐する。これらの２つの分岐間の基本的な相違は、例えば１８歳などの特定の年齢を超える加入者は、その年齢未満の加入者に利用可能でない方法で広告主のパッチを表示することに対して補償される能力を与えられ得ることである。例えば、１８歳未満のモバイル加入者は、現金を得るためにシステムを利用することを防止され得る。次に、ユーザは仮想ＩＤ（ＶＩＤ）を生成し、ＶＩＤは、データベース内の加入者の物理的ＩＤにマッピングされる。
【００２７】
次に、システムは、ポータルにログインすると、モバイル加入者により閲覧することができる新規の加入者の製品のために、製品特有のウェブサイトを生成する。製品特有のウェブサイトは、例えば、消費者／モバイル加入者により取得された何らかのパッチを上に有する再構成可能な表面をもつ仮想バックパックなどの製品の操作可能２Ｄ又は３Ｄレンダリングを示すことができる。ウェブサイトは、第１のページ上に消費者／モバイル加入者が購入したパッチを表示し、第２のページ上に、補償のためにモバイル加入者が広告を載せて表示しているパッチを表示することができる。補償を得るため、モバイル加入者は、自分の仮想物品上に広告パッチを仮想的に配置することが要求されることがある。従って、仮想の再構成可能物品は、物理的な再構成可能物品の構成を表す。次に、システムは、広告主の広告を表示しているモバイル加入者の人口統計データ（すなわち、符号化マップ）及び人数（すなわち、統計データ）に関するリアルタイムの情報を広告主に運ぶことができる。各々のモバイル加入者は、自分のウェブサイト上で閲覧可能及び操作可能な複数の仮想再構成可能物品を有することができる。システムは、例えば、各々が別個に購入された物理的製品を表す、仮想の再構成可能バックパック、再構成可能財布、再構成可能ブックバッグ、及び再構成可能ビーチバッグを、単一のモバイル加入者に表示することができる。この点で、１つのＶＩＤを複数の製品シリアル番号に割り当てることができる。システムは、広告主が、例えば、ベルトではなくバックパック上に広告することを選択できるように構成することができる。つまり、システムは、広告主に、どの製品がモバイル加入者により保持されているかを閲覧し、自分の広告の所望の位置を特定する能力を与える。システムは、消費者／モバイル加入者が、特定の仮想パッチを１つの仮想物品から別の物品にドラッグ・アンド・ドロップできるように構成することができる。
【００２８】
１つの実施形態において、再構成可能物品は、デジタル画像を上に表示することを可能にする、ｅ−ペーパーのような現在利用可能な電子ペーパー技術を用いた、電子的に再構成可能なファブリックを含むことができる。このように、再構成可能物品は、電子パッチの特定のアクティブな組を表示するように、システムにより遠隔管理することができる。この実施形態は、システムを通してモバイル加入者により購入された又は他の方法で取得されたパッチに従って、アクティブなパッチを表示するために、システムによる物理的物品の自動更新を可能にする。アクティブなパッチの電子的に再構成可能物品への伝送は、例えば、Ｗｉ−Ｆｉ、Ｂｌｕｅｔｏｏｔｈ（登録商標）又はモバイル・データ・ネットワークを用いて無線で行うことができる。
【００２９】
この実施形態において、システムは、モバイル加入者に、現在の地理的位置に基づいて地元の小売業者のクーポンにより補償を行う小売りモデルを用いることができ、このクーポンは、モバイル加入者が又はモバイル加入者の近傍にいる誰でも使用できるようにリアルタイムで電子的に再構成可能物品上に表示することができる。
【００３０】
適合したモバイル加入者には、紹介に対する補償を提供することができる。この点で、第１のモバイル加入者には、該加入者がシステムに対して新規の消費者を連れて来て、新規の消費者が登録し、第１の加入者を参照するたびに補償が与えられる。こうした補償は、第１の加入者及び新規の加入者の両方が適合する広告主により与えることができる。第１のモバイル加入者が１８歳未満の場合、新規の消費者を勧誘するために、例えば、金銭的補償の代替物として、特定の報酬を受け取ることができる。
【００３１】
図９は、広告主の観点からシステムを用いる方法を示す。上述のように、１つの実施形態において、システムは、広告主がログインして、ターゲットを定めた地理空間及び社会経済市場セグメントにおいて、モバイル加入者に局地的な広告掲示板として働くパッチを配置する広告キャンペーンを定め、管理することができるポータルを提供する。システムにより管理され、ターゲットを定めたキャンペーンを生成するために用いられるキャンペーン・データは、例えば、広告内容、量、地理的局所性（すなわち、州、都市、学校、組織）、年齢、学年、性別及び特別な関心（すなわち、フットボール、ボーイスカウト等）を含むことができる。システムは、局所的、全国的、及び国際的な広告主などの、異なるタイプの広告主に対して異なるように動作するように構成することができる。全国的な広告主に関して、システムは、こうした広告主が、全国的にどこででも消費できる製品又はサービスを純粋に宣伝するためにシステムを使用することを可能にする。他方、システムは、レストラン、レストラン・チェーン又は特定の地域社会にサービスする地元企業のような、地元広告主に対して地元のビジネスを推し進めるように構成することができる。同様に、システムは、地元スポーツチーム、慈善団体及び学校等の地元組織が、システムを資金調達ツールとして使用できるように構成することもできる。
【００３２】
本発明の配信広告システムの使用の例として、以下が挙げられる。メディア会社は、特定の年齢層に対し、数カ月先行して新規のレコードのリリースを公表したいと望むことができる。ゲーム製造業者は、システムを用いて、特定の性別層に対し、ゲームのリリースに先行して新しいゲームのリリースを公表することができる。メディア企業は、システムを用いて、特定の層及び地域に対して先行して映画のリリースを公表することができる。
【００３３】
提案された広告方法により、広告主は、非常に費用対効果の高い方法で、数千又は数百万もの広告を特定の地理的及び人口統計的設定でモバイル物品に配置することができる。これらの広告の配信はターゲットが定まっているだけでなく、この広告は、モバイル加入者が広告内容を発声する動機を与えられるという事実のために、移動可能であり、潜在的に声を発するものでもある。
【００３４】
１つの実施形態において、システムにより、ユーザがウェブページを介して加入することが可能になる。加入と関連して、加入者は、年齢、性別、居住都市、学校所属、学年のような個人的な人口統計情報を送信する。この情報は、データベースに格納される。
【００３５】
こうした人口統計情報のデータベースにより、システムは、モバイル加入者の特定の層にターゲットを定めた販売促進情報と共に、パッチのような装飾品を提供するよう構成することができる。加入プロセスの一部として、加入者は、装飾品を自分のバックパック又は他の個人的物品に配置することに同意する。システムは、システムに加入することに関連して、加入者に自分の個人化されたウェブページを提供するよう構成することができる。各モバイル加入者に対して、その個人的物品上に装飾品を表示するのと引き換えに、無料又は最低料金でパッチ及び他の装飾品を送ることができる。代替的に、システムは、モバイル加入者が、装飾品の表示に同意することと引き換えに補償を受け取るように構成することができる。こうした補償は、金銭、オンライン報酬ポイント、オンライン・クレジット又は他の適当な補償とすることができる。
【００３６】
１つの実施形態によると、各モバイル加入者には、加入者のパッチ上に広告された商品又はサービスに関連して保有者に割引を受ける権利を与えるコードが提供される。例えば、パッチが、人気ビデオゲームの近日リリースのロゴである場合、パッチを装着する加入者は、自分のコードを友人に与えることができ、このことは、友人に、オンライン又は従来の小売店で近日リリースのビデオゲーム・タイトルを購入する際に割引を受ける権利を与える。システムが、こうした方法で構成されると、システムは、モバイル配信販売促進及び映像広告から音声広告への移行、すなわちターゲットを定めた販売促進を容易にする。
【００３７】
１つの実施形態によると、再構成可能表面及び装飾品をもつ物品は、シリーズ化され、ＶＩＤによりシステム内の特定のモバイル加入者と関連付けられるため、システムは、児童保護サービスを提供することができる。例えば、バックパック又は装飾物品は、ＲＦＩＤタグを有するように提供することができ、又は代替的に、システム・アプリケーションを通して、アクティブな追跡装置又はモバイル加入者の携帯電話／スマートフォンにつなぐことができる。子供が迷子になり、後で見つかった場合、単に製品シリアル番号又はモバイル加入者ＩＤをシステムに提供することにより、システムを用いて両親に通知することができる。代替的に、子供が誘拐された場合、ＤＯＴに通知し、ＲＦＩＤ埋め込みタグを持つ子供の最後の分かっている位置の近くの自動料金／ＲＦＩＤリーダを監視することに加えて、あらゆるアクティブな位置追跡装置を同時に追跡しながら、アンバー・アラートを発するなど、子供の位置を見つけるための特定の手段を作動させるために、システムを用いることができる。
【００３８】
本実施形態において、ＲＦＩＤタグは、再構成可能物品又は装飾品の物品に埋め込むことができ、又は位置追跡装置を再構成可能物品内に配置することができる。登録モバイル加入者である子供がいなくなると、次に、子供の両親は、開示されたシステムのオペレータに連絡して、こうした追跡装置からの位置情報を取得することができる。この点で、親が自分の子供と関連付けられた物品又はパッチの位置情報を取得することを可能にするサービスへの加入を、親に対して月毎、週毎又は日毎に販売すること又は他の方法で提供することができる。親は、システムのオペレータに電話をし、子供が運んでいる物品又はパッチのシリアル番号を提供するだけで、こうした位置情報を取得し、及び／又はアンバー・アラートをトリガすることができる。
【００３９】
代替的に又はこれに加えて、例えば、加入者がよく行く位置など、加入者の移動に基づいて特定の加入者に送るための適切なパッチ又は他の装飾品を選択することにより、ターゲットを定めた広告を実施することができるので、加入者によりシステムがその位置を追跡するのが可能になる場合、加入者に金銭的報酬を提供するように、システムを構成することができる。
【００４０】
図１０は、システムを用いてモバイル加入者に補償するための方法を示す流れ図である。上述のように、モバイル加入者は、広告パッチ又は広告を表示するための他の手段を有する再構成可能物品を持ち運ぶことができる。１つの実施形態における補償プロセスは、潜在的消費者がモバイル加入者の広告を閲覧し、それにより強く印象付けることで始まる。口コミにより又は表示により、モバイル加入者は、潜在的消費者に、個人キャリアのログイン・コードを与える。次いで、潜在的消費者はシステムの管理者が運営するウェブサイト又はポータルにログインし、広告主のオファーを提示される。ひとたび潜在的消費者がオファーを受け入れると、モバイル加入者に補償が行われる。補償は、頻繁利用者報奨システム、１つ又はそれ以上の小売業者で使えるギフトカード、実際の現金振り込み、商品又はサービスのような報奨システムにおける報奨ポイントの形で与えることができる。
【００４１】
図１１は、電子パッチ、モバイル加入者及びリアルタイムの地理空間的ターゲットを定めた広告に関連してシステムを動作させるための方法を示す流れ図である。上述の登録プロセスに関連して追跡プログラムに参加することに同意した後、モバイル加入者は、例えば電子パッチ等のパッチを取得する。次いで、モバイル加入者は、自分のスマートフォンをシステムに登録するか又は追跡装置（例えば、ＲＦＩＤ又はＧＰＳベースの追跡装置）を取得するが、これらはいずれも、システムが、パッチが表示された再構成可能物品の位置を追跡すること、又はパッチの位置を個別に追跡することを可能にする。その後、モバイル加入者は、特定の小売店又はレストランに歩いていくなど、広告主が存在する地理的位置に物理的に入ると、特定の広告主の内容又はオファーがモバイル加入者に関連付けられた電子パッチ又はスマートフォンにプッシュ送信される。この時点で、オファーは、モバイル加入者及びモバイル加入者の近傍にいる他の人に見えるようにされる。モバイル加入者又は任意の消費者が地元広告主の販売促進を利用するたびに、モバイル加入者に補償が行われる。
【００４２】
本明細書で用いられる「加入者」及び「加入」という用語は、必ずしも有償タイプの加入システムを意味するものではなく、むしろ加入者がシステムに登録していることを示すことが、当業者には明らかであろう。
【００４３】
本発明を好ましい実施形態を参照して示し、説明したが、当業者であれば、本発明の精神及び範囲から逸脱することなく、形態及び詳細の種々の変更をなし得ることを理解すべきである。
【符号の説明】
【００４４】
１００、２００：物品
２０１：名前
２０２：表面
２０３：文字
３００：裏当て
３０１：模造宝石類
３０２：米国旗
３０３：フットボール
３０４：花
３０５：蝶
４００：ベルト
４０１：時計バンド
４０２：領域
４０３：再構成可能表面
４０４、５０１：装飾アイテム
４０２：領域
５００：ハンドバッグ
５０１：装飾アイテム
６００：スーツケース
【図１】
0006000250.tif 000002
【図２】
0006000250.tif 000003
【図３】
0006000250.tif 000004
【図４】
0006000250.tif 000005
【図５】
0006000250.tif 000006
【図６】
0006000250.tif 000007
【図７】
0006000250.tif 000008
【図８】
0006000250.tif 000009
【図９】
0006000250.tif 000010
【図１０】
0006000250.tif 000011
【図１１】
0006000250.tif 000012